(57)【要約】      （修正有）【課題】表示体を簡単な操作で上下方向にスライド可能にし、数段階の固定位置を有する表示用ホルダを提供する。【解決手段】表示体取付け部材１と表示体取付け部材１の裏面に嵌合して、上下方向にスライドして固定位置が決定されるスライド部材２とからなり、表示体取付け部材１に対するスライド部材２の上下方向のスライドを案内するガイド手段１４、２６と、把持力によりスライド方向と直角方向に弾性変形してロックを解除し、把持の解除により形状が復元してロックを行なうロック手段３と、スライド部材２の上下方向におけるスライド位置を所望の位置とする位置決め手段とを有する表示用ホルダ１０。【選択図】図３
0003148718.tif 000002
【実用新案登録請求の範囲】
【請求項１】
表示体取付け部材と該表示体取付け部材の裏面に嵌合して、上下方向にスライドして固定位置が決定されるスライド部材とからなり、
該表示体取付け部材に対する該スライド部材の上下方向のスライドを案内するガイド手段と、
把持力によりスライド方向と直角方向に弾性変形してロックを解除し、把持の解除により形状が復元してロックを行なうロック手段と、
該スライド部材の上下方向における固定位置を定める位置決め手段とを有することを特徴とする表示用ホルダ。
【請求項２】
該表示体取付け部材は、略板状の第１本体部と該第１本体部の両側に形成される柱状の第１ガイド部を備える薄状物であり、該スライド部材は、該第１本体部と対峙する略板状の第２本体部と該第２本体部の両側に形成される該第１ガイド部材と係合する略コ字形断面又は略Ｌ字形状断面の第２ガイド部を備える薄状物であることを特徴とする請求項１記載の表示用ホルダ。
【請求項３】
該ガイド手段は、該第１ガイド部の側面に上下方向に延びるように形成されるレール状の溝と、該第２ガイド部に形成される該レール状の溝に係合する突起部であることを特徴とする請求項２記載の表示用ホルダ。
【請求項４】
該ロック手段は、該第１ガイド部の内側側面に形成され上下方向に延びるラック歯と、該第２本体部の両側の薄肉部の外側に形成される、該ラック歯の歯間に係合する爪部とからなることを特徴とする請求項２記載の表示用ホルダ。
【請求項５】
該位置決め手段は、該ラック歯の歯間で形成される歯溝であることを特徴とする請求項４記載の表示用ホルダ。
【請求項６】
該薄肉部から外側に延びる左右一対の操作部材を有することを特徴とする請求項４記載の表示用ホルダ。
【請求項７】
該薄肉部は、左右一対の操作部材を内側に力が作用するように把持することで内側に撓むものであることを特徴とする請求項６記載の表示用ホルダ。
【請求項８】
該スライド部材は、該レール状の溝に係合する第１の部材と、該第１の部材に嵌合すると共に、該ラック歯の歯間に係合する爪部を備える第２の部材の２つの部材からなることを特徴とする請求項３記載の表示用ホルダ。
【請求項９】
樹脂製であることを特徴とする請求項１〜８のいずれか１項に記載の表示用ホルダ。
【請求項１０】
該表示体の厚みが１５ｍｍ以下であることを特徴とする請求項１〜９のいずれか１項に記載の表示用ホルダ。
【考案の詳細な説明】
【技術分野】
【０００１】
本考案は表示用ホルダ、詳しくはスーパーマーケットなどの商品陳列棚に商品の価格等を表示する表示板を装着するために使用される表示用ホルダに関するものである。
【背景技術】
【０００２】
商品の価格等を表示する箱状の表示体を装着するために使用される表示用ホルダは、商品陳列棚に設置される際、顧客の目から表示部が見易いようにする必要がある。通常、商品陳列棚は、上下多段であるため、表示部の角度を調節自在とする機能を付与したものが要求される。
【０００３】
特開２００３−２３３３２３号公報には、前記表示本体の表示角度を調節するようにした表示用ホルダが開示されている。この表示用ホルダによれば、陳列棚等に設けられた取付部材に取付パーツを介して回動自在に取り付けられた表示本体の表示角度を調節する際に、スライドアダプタを押し上げることによって取付パーツの係止片と弾性支持片の係止溝との係合を解除して、表示本体をフリーの状態で回動し、所望の表示角度に至ったときにスライドアダプタの押上げをはなすことによって所望の係止溝が取付パーツの係止片に落とし込まれて係止され、これによって表示本体を所望の角度に調節した固定状態にすることができる。
【０００４】
近年、商品情報が多量であることから、箱状の表示体の上方または下方に所定高さの情報記載カードを装着したものが知られている。この場合、後ろの陳列商品を隠してしまうことがある。また、表示体そのものが大型の場合、同様に後ろの陳列商品を隠してしまうことがある。従って、表示体を上下方向にスライド可能にする表示用ホルダの開発が望まれていた。
【０００５】
また、陳列棚の前面に設置される表示体は、厚みが大き過ぎると、買い物客に触れて表示方向が変わったり、陳列棚から脱落したりすることがあり、可能な限り、薄くすることが望まれていた。
【特許文献１】特開２００３−２３３３２３号公報（請求項１）
【考案の開示】
【考案が解決しようとする課題】
【０００６】
従って、本考案の目的は、商品情報が表示された板状又は箱状の表示体を簡単な操作で上下方向にスライド可能にする表示用ホルダを提供することにあり、また、更に可能な限り薄くしたスライド機能付き表示用ホルダを提供することにある。
【課題を解決するための手段】
【０００７】
すなわち、本考案は、上記課題を解決するものであって、表示体取付け部材と該表示体取付け部材の裏面に嵌合して、上下方向にスライドして固定位置が決定されるスライド部材とからなり、該表示体取付け部材に対する該スライド部材の上下方向のスライドを案内するガイド手段と、把持力によりスライド方向と直角方向に弾性変形してロックを解除し、把持の解除により形状が復元してロックを行なうロック手段と、該スライド部材の上下方向における固定位置を定める位置決め手段とを有することを特徴とする表示用ホルダ表示用ホルダを提供するものである。
【考案の効果】
【０００８】
本考案の表示用ホルダによれば、把持力によりスライド方向と直角方向に弾性変形させてロックを解除し、その状態のまま上下方向にスライド部材をスライドさせ、把持の解除、すなわち手を離すと形状が復元してロックされるため、簡単な操作で上下方向にスライド可能であると共に、固定位置を変更できる。また、本考案の表示用ホルダは、薄物部材の２つの組合わせ体にスライド手段、ロック手段及び位置決め手段を装着させたため、商品情報が表示された板状又は箱状の表示体を装着した後も厚みは薄く、買い物客の接触による表示角度が変化したりすることはない。
【考案を実施するための最良の形態】
【０００９】
次ぎに本考案の第１の実施の形態における表示ホルダを図１〜８を参照して説明する。図１は本実施の形態例の表示ホルダの斜視図、図２は図１の表示ホルダを裏から見た斜視図、図３は図１の表示ホルダの分解斜視図、図４は図３の表示ホルダの裏から見た分解斜視図、図５は図１の表示ホルダ（ロック状態）の断面図、図６はアンロック状態の操作方法を説明する図、図７は図６の表示ホルダ（アンロック状態）の断面図、図８（Ａ）はスライド部材が最下位置にある表示ホルダの断面図、（Ｂ）はスライド部材が（Ａ）より上側位置にある表示ホルダの断面図、（Ｃ）はスライド部材が（Ｂ）より上側位置にある表示ホルダの断面図をそれぞれ示す。本明細書において、「上」、「下」、「前」、「後」は図１の状態の表面１１１を正面に向けた位置を言う。
【００１０】
表示ホルダ１０は、表示体取付け部材１と、表示体取付け部材１の裏面に嵌合して、上下方向にスライドして固定位置が決定されるスライド部材２とからなる。表示体取付け部材１は、略板状の第１本体部１１と第１本体部１１の両側に形成される柱状の第１ガイド部１２を備える薄状物である。略板状としたのは、表示体取付け部材１の表面に表示体が取着する突起１３を含むため、板状と定義できないものの、主たる部分が板状だからである。なお、突起１３は、電子棚札などの表示体を取着するものであればなんでもよく、この形態に限定されない。
【００１１】
柱状の第１ガイド部１２は、その側面には上下方向に延びるように形成されるレール状の溝１４を、その反対側の内側の側面には上下方向に延びるラック歯４が形成されている。レール状の溝１４はガイド手段の一部を構成するものであり、スライド部材２の上下方向の移動を案内するものである。また、ラック歯４は内側に向けて突出しており本例では４つの歯を有し、３つの歯間の隙間（歯溝）５ａ〜５ｃを形成している。ラック歯４はロック手段の一部を構成し、また位置決め手段となるものである。また、左右一対の柱状の第１ガイド部１２間には柱状の第１ガイド部１２の厚みに相当する空間が形成され、スライド部材２の第２本体部２１を収納できるため、全体の厚みを薄くできる。
【００１２】
スライド部材２は、第１本体部１１と対峙する略板状の第２本体部２１と第２本体部２１の両側に形成される第１ガイド部材１２と係合する略コ字形断面の第２ガイド部２２を備える表示体取付け部材１の高さより小さい高さの薄状物である。スライド部材２は、厚みを薄くするため、第２ガイド部２２は第２本体部２１よりやや後方の位置にあり、最両側部材２２１の先端部分のみが第２本体部２１よりやや前方に延びている。第２本体部２１を略板状としたのは、第２本体部２１の裏面に固定側の部材を取着する係合構造２４、本例では上側板状突起部材と両側突起と下側の突起とで係合突起構造を含める意味からである。係合構造２４には、通常陳列棚のレール溝に取り付けられる取着部材が係合する。なお、係合構造２４はこれに限定されず、固定側部材に取り付けられる公知の部材を使用できる。
【００１３】
スライド部材２の矩形状の第２本体部２１の両側には、肉抜き（貫通穴）７を形成することで、薄肉部３２を形成する。また、薄肉部３２の外側面には、ラック歯４の歯間５に係合する微小高さの突起（爪部）３１が外側に突出するように形成され、更に薄肉部３２の外側面には、押圧部３３１を備える操作部材３３が接合されている。本例では、操作部材３３のアームの一端が微小高さの突起（爪部）３１の後側に接続し、平面視で略Ｌ字形状を形成している。この薄肉部３２は、操作部材３３を内側に力が作用するように把持することで内側に撓み、把持を解除することで、元の形状に復元するものである。すなわち、操作部材３３を少し強く把持すれば、薄肉部３２はスライド部材２のスライド方向とは直角方向で且つ内側に弾性変形し、これに伴い微小高さの突起（爪部）３１も内側に少し押し込まれ、把持を解除すれば、元の形状に戻る。このため、ロック操作及びアンロック操作を容易に行える。なお、第２本体部２１に形成される矩形状の肉抜き（貫通穴）２３は係合構造２４を形成するために必要な金型成形用の穴である。突起３１の高さ（左右方向の長さ）は０．５〜１．５ｍｍ程度でよい。
【００１４】
略コ字形断面の第２ガイド部２２は、操作部材３３を挟んで上下両側に形成されるものであり、その最両側部材２２１の内側面には、レール溝１４に係合する突起部２６を形成している。なお、ラック歯４の歯の高さ（左右方向長さ）は、表示体取付け部材１にスライド部材２を組み込んだ際、ラック歯４の歯の先端が第２本体部２１の端面が概ね当接するか、若干の隙間があるような寸法とする。これにより、アンロック状態において、表示体取付け部材１とスライド部材２がスライド自在に嵌合でき、ロック状態において、微小高さの突起（爪部）３１がラック歯４の歯溝５に係合することができる。なお、操作部材３３の押圧部３３１は第２ガイド部２２より外側に突出している。これにより、第２ガイド部２２の押し込みが可能となる。第２ガイド部２２は、略Ｌ字形状断面であってもよい。略Ｌ字形状断面の第２ガイド部２２としては、後述する第２の実施の形態例のような部材９が挙げられる。
【００１５】
本考案の表示用ホルダ１０は、表示体取付け部材１に対するスライド部材２の上下方向のスライドを案内するガイド手段を有する。すなわち、本例において、ガイド手段とは、第１ガイド部１２の側面に上下方向に延びるように形成されるレール状の溝１４と、第２ガイド部２２に形成されるレール状の溝１４に係合する突起部２６である。
【００１６】
ロック手段は、第１ガイド部１２の内側側面に形成され上下方向に延びるラック歯４と、第２本体部２１の両側の薄肉部３２の外側に形成される、複数の歯で形成されるラック歯の隣接する歯間（歯溝）５（５ａ〜５ｃ）に係合する微小突起（爪部）３１とからなる。また、位置決め手段は、ラック歯の歯間で形成される歯溝５（５ａ〜５ｃ）である。
【００１７】
次ぎの本考案の表示用ホルダ１０の使用方法の一例を説明する。表示体取付け部材１の上方からスライド部材２を、表示体取付け部材１のレール溝１４に突起部２６が係合するように差し込む。この際、操作部材３３の押圧面３３１をやや強く把持して、アンロック状態としつつ行なう。ロック状態では、微小突起（爪部）３１が挿入の邪魔となり、表示体取付け部材１とスライド部材２の嵌合が行なわれない。例えば、図８（Ａ）のように、表示体取付け部材１に対してスライド部材２を最下位置にセットする場合、微小突起（爪部）３１がラック歯の歯溝５ａに対峙する位置まで挿入する。この位置になったら把持を解除する。これにより、薄肉部３２が元の形状に復元するため、微小突起（爪部）３１がラック歯の歯溝５ａに係合する。これにより、表示体取付け部材１とスライド部材２は固定される。この状態において、表示体取付け部材１の表面の突起１３に表示体を設置し、更にスライド部材２の裏面の係合構造２４にＰＯＳレール装着用部材を取り付ければよい。そして、このＰＯＳレール装着用部材をＰＯＳレールに装着すればよい。このような表示用ホルダ１０はＰＯＳレール装着状態において、ＰＯＳレール装着用部より上方側にあり、陳列棚の商品より高い位置で表示できる。
【００１８】
次いで、表示体の高さ方向の位置を図８（Ａ）の状態より低く、例えば図８（Ｂ）の状態にしたい場合は次のように操作する。すなわち、図８（Ａ）の状態の表示用ホルダ１０をＰＯＳレールから取り外す。次いで、操作部材３３の押圧面３３１をやや強く把持して（図６のＸ−Ｘ方向）、アンロック状態とし、このアンロック状態を維持したままスライド部材２を表示体取付け部材１に対して上方にスライドさせる。そして、微小突起（爪部）３１がラック歯の歯溝５ｂに対峙する位置までスライドさせ、この位置にきたら把持を解除する。これにより、薄肉部３２が元の形状に復元するため、微小突起（爪部）３１がラック歯の歯溝５ｂに係合する。これにより、表示体取付け部材１とスライド部材２は固定される。この状態において、ＰＯＳレール装着用部材をＰＯＳレールに取り付ければよい。
【００１９】
次いで、商品情報が表示された表示体の高さ方向の位置を図８（Ｂ）の状態より低く、例えば図８（Ｃ）の状態にしたい場合は次のように操作する。すなわち、図８（Ｂ）の状態の表示用ホルダ１０をＰＯＳレールから取り外す。次いで、前記と同様に、操作部材３３の押圧面３３１をやや強く把持して（図６のＸ−Ｘ方向）アンロック状態とし、このアンロック状態を維持したままスライド部材２を表示体取付け部材１に対して上方にスライドさせる。そして、微小突起（爪部）３１がラック歯の歯溝５ｃに対峙する位置までスライドさせ、この位置にきたら把持を解除する。これにより、薄肉部３２が元の形状に復元するため、微小突起（爪部）３１がラック歯の歯溝５ｃに係合する。これにより、表示体取付け部材１とスライド部材２は固定される。この状態において、ＰＯＳレール装着用部材をＰＯＳレールに取り付ければよい。この位置であれば、表示体の設置位置が、ほぼ陳列棚面と同等の位置若しくはそれより下側にくることになり、陳列商品を隠すことがなく、買い物客には商品がよく見える。
【００２０】
表示体取付け部材１とスライド部材２で構成される表示用ホルダ１０は、樹脂製であって、厚みが１５ｍｍ以下と薄いため、買い物客に触れて表示方向が変わったり、陳列棚から脱落したりすることがない。
【００２１】
次ぎに本考案の第２の実施の形態における表示ホルダを図９〜１８を参照して説明する。図９は本実施の形態例の表示ホルダの斜視図、図１０は図９の表示ホルダを裏から見た斜視図、図１１は図９の表示ホルダの分解斜視図、図１２は図１１の表示ホルダの裏から見た分解斜視図、図１３は図１１の２つの部材を組み込んだ状態における表示ホルダの分解斜視図、図１４は図１３を裏から見た表示ホルダの分解斜視図、図１５は図９の表示ホルダ（ロック状態）の断面図、図１６はアンロック状態の操作方法を説明する図、図１７は図１６の表示ホルダ（アンロック状態）の断面図、図１８（Ａ）はスライド部材が最下位置にある表示ホルダの断面図、（Ｂ）はスライド部材が（Ａ）より上側位置にある表示ホルダの断面図、（Ｃ）はスライド部材が（Ｂ）より上側位置にある表示ホルダの断面図をそれぞれ示す。図９〜図１８において、図１〜図８と同一構成要素には同一符号を付してその説明を省略し、異なる点について主に説明する。
【００２２】
すなわち、図９〜図１８の表示ホルダ１０ａにおいて、図１〜図８の表示ホルダ１０と異なる点は、表示ホルダ１０のスライド部材２を２つの部材の組み込み体とした点にある。すなわち、スライド部材２はレール状の溝１４に係合する第１の部材９と、第１の部材９に嵌合すると共に、ラック歯４の歯間５に係合する爪部３１を備える第２の部材８の２つの部材からなる。
【００２３】
第１の部材９は、第１の実施の形態例におけるスライド部材２と類似構造の部材であり、スライド部材２と異なる点は、スライド部材２の操作部材３３が省略されたこと、操作部材３３の位置に切り欠き部２８を設けたこと、第３本体部９１に第２の部材８の位置合わせ用の穴９１１を設けたことにある。
【００２４】
すなわち、第１の部材９は、略板状の第３本体部９１と第３本体部９１の両側に形成される第１ガイド部材１２と係合する略コ字形断面の第２ガイド部２２を備える表示体取付け部材１の高さより小さい高さの薄状物である。第３本体部９１を略板状としたのは、第１の実施の形態の場合と同様に、第３本体部９１の裏面に固定側の部材を取着する係合構造２４、本例では上側板状突起部材と両側突起と下側の突起とで係合突起構造を有するため板状とは定義できないものの、主たる部分が板状だからである。
【００２５】
第１の部材９の矩形状の第３本体部９１の両側中央には、第２の部材８の爪部３１と操作部材３３のアームが収容される切り欠き部２８を形成する。これにより、第１の部材９と第２の部材８の組み込み体であっても、厚みの薄い状態を保持しつつ操作部材３３のロック及びアンロックの操作が可能となる。略コ字形断面の第２ガイド部２２の構造及び作用は、第１の実施の形態の場合と同様であり、その説明を省略する。
【００２６】
第２の部材８は、第１の部材９に嵌合すると共に、ラック歯４の歯間５に係合する爪部３１を備える。すなわち、第２の部材８は、矩形状の第４本体部８１の両側に、肉抜き（貫通穴）７を形成することで、薄肉部３２を形成する。この薄肉部３２は、操作部材３３を内側に力が作用するように把持することで内側に撓み、把持を解除することで、元の形状に復元するものである。薄肉部３２には、ラック歯４の歯間５に係合する微小高さの突起（爪部）３１が形成され、更に押圧部３３１を備える操作部材３３のアーム３４の一端が接合されている。すなわち、操作部材３３を少し強く把持すれば、薄肉部３２はスライド部材のスライド方向とは直角方向で且つ内側に弾性変形し、これに伴い微小高さの突起（爪部）３１も内側に少し押し込まれ、把持を解除すれば、元の形状に戻る。このため、ロック操作及びアンロック操作を容易に行える。なお、符号３６は位置決め用突起である。第１の部材９と第２の部材８は上記のように別部材に限定されず、一体化物であってもよい。
【００２７】
次ぎの本考案の表示用ホルダ１０ａの使用方法の一例を説明する。先ず、第１の部材９と第２の部材８とを組み付ける。この場合、第１の部材９の位置決め用穴９１１と第２の部材８の位置決め用突起３６を対峙させ、両者を押し込むようにして組み込む。この際、第３本体部９１と第４本体部８１はほぼ隙間なく、当接に近い状態となり、操作部材３３のアーム３４が第１の部材９の切り欠き部２８に隙間を有して収容される。これにより、第１の部材９と第２の部材８との組み付け体２ａは厚みの薄い状態を維持できる。そして、表示体取付け部材１の上方から第１の部材９と第２の部材８との組み付け体２ａを、表示体取付け部材１のレール溝１４に突起部２６が係合するように差し込む。この際、前記と同様に、操作部材３３の押圧面３３１をやや強く把持して、アンロック状態としつつ行なう。ロック状態では、微小突起（爪部）３１が挿入の邪魔となり、表示体取付け部材１とスライド部材２の嵌合が行なわれない。例えば、図１８（Ａ）のように、表示体取付け部材１に対してスライド部材２を最下位置にセットする場合、微小突起（爪部）３１がラック歯の歯溝５ａに対峙する位置まで挿入する。この位置になったら把持を解除する。これにより、薄肉部３２が元の形状に復元するため、微小突起（爪部）３１がラック歯の歯溝５ａに係合する。これにより、表示体取付け部材１とスライド部材２ａは固定される。この状態において、表示体取付け部材１の表面の突起１３に表示体を設置し、更にスライド部材２ａの裏面の係合構造２４にＰＯＳレール装着用部材を取り付ければよい。そして、このＰＯＳレール装着用部材をＰＯＳレールに装着すればよい。このような表示用ホルダ１０ａは表示体がＰＯＳレール装着用部材より上方側にあり、陳列棚面より高い位置で表示できる。以下、図１８（Ａ）の設置位置から図１８（Ｂ）の設置位置への変更、図１８（Ｂ）の設置位置から図１８（Ｃ）の設置位置への変更方法は、第１の実施の形態例のものと同様である。
【００２８】
表示体取付け部材１と第１の部材９と第２の部材８との組み付け体２ａで構成される表示用ホルダ１０ａは、樹脂製であって、厚みが１５ｍｍ以下と薄いため、買い物客に触れて表示方向が変わったり、陳列棚から脱落したりすることがない。
【００２９】
本考案の表示用ホルダにおいて、位置決め箇所は上記３箇所に限定されず、２箇所又は４箇所以上であってもよい。また、本考案の表示用ホルダは前後反転して使用してもよい。すなわち、表示体取付け部材を後側として、これにＰＯＳレール装着用部材を取り付け、スライド部材を前側として、これに表示体を取り付けてもよい。
【産業上の利用可能性】
【００３０】
本考案の表示ホルダは、高さ方向に複数段、好適には３段階の位置決めが容易に行え、また、薄い物であるため、スーパーマーケットなどの商品陳列棚に商品の価格等を表示する板状または箱状の表示板を装着するための使用に好適である。
【図面の簡単な説明】
【００３１】
【図１】第１の実施の形態例の表示ホルダの斜視図。
【図２】図１の表示ホルダを裏から見た斜視図。
【図３】図１の表示ホルダの分解斜視図。
【図４】図３の表示ホルダの裏から見た分解斜視図。
【図５】図１の表示ホルダ（ロック状態）の断面図。
【図６】アンロック状態の操作方法を説明する図。
【図７】図６の表示ホルダ（アンロック状態）の断面図。
【図８】（Ａ）はスライド部材が最下位置にある表示ホルダの断面図、（Ｂ）はスライド部材が（Ａ）より上側位置にある表示ホルダの断面図、（Ｃ）はスライド部材が（Ｂ）より上側位置にある表示ホルダの断面図。
【図９】第２の実施の形態例の表示ホルダの斜視図。
【図１０】図９の表示ホルダを裏から見た斜視図。
【図１１】図９の表示ホルダの分解斜視図。
【図１２】図１１の表示ホルダの裏から見た分解斜視図。
【図１３】図１１の２つの部材を組み込んだ状態における表示ホルダの分解斜視図。
【図１４】図１３を裏から見た表示ホルダの分解斜視図。
【図１５】図９の表示ホルダ（ロック状態）の断面図。
【図１６】アンロック状態の操作方法を説明する図。
【図１７】図１６の表示ホルダ（アンロック状態）の断面図。
【図１８】（Ａ）はスライド部材が最下位置にある表示ホルダの断面図、（Ｂ）はスライド部材が（Ａ）より上側位置にある表示ホルダの断面図、（Ｃ）はスライド部材が（Ｂ）より上側位置にある表示ホルダの断面図。
【符号の説明】
【００３２】
１  表示体取付け部材
２、２ａ  スライド部材
４  ラック歯
５（５ａ〜５ｃ）  歯間の隙間（歯溝）
７  肉抜き（貫通穴）
１０、１０ａ  表示用ホルダ
１１  第１本体部
１２  第１ガイド部
１３  突起
１４  レール状の溝
２１  第２本体部
２２  第２ガイド部
２４  係合構造
３１  微小高さの突起（爪部）
３２  薄肉部
３３  操作部材
３３１  押圧部
【図１】
0003148718.tif 000003
【図２】
0003148718.tif 000004
【図３】
0003148718.tif 000005
【図４】
0003148718.tif 000006
【図５】
0003148718.tif 000007
【図６】
0003148718.tif 000008
【図７】
0003148718.tif 000009
【図８】
0003148718.tif 000010
【図９】
0003148718.tif 000011
【図１０】
0003148718.tif 000012
【図１１】
0003148718.tif 000013
【図１２】
0003148718.tif 000014
【図１３】
0003148718.tif 000015
【図１４】
0003148718.tif 000016
【図１５】
0003148718.tif 000017
【図１６】
0003148718.tif 000018
【図１７】
0003148718.tif 000019
【図１８】
0003148718.tif 000020